(57)【要約】【課題】電子キーを紛失した場合等に、新たな電子キーの登録がセキュリティ性を確保しつつ利便性よく行えるドア施解錠制御装置を提供すること。【解決手段】ユーザに所持され、玄関ドアの施解錠に使用される複数の電子キー２ａ〜２ｅ（２，…）の各ＩＤコードを記憶可能なＥＥＰＲＯＭ３２、及び、該ＥＥＰＲＯＭ３２に登録されているいずれかのＩＤコードと電子キー２から送信されるＩＤコードとが一致したことを条件として電子キー２による玄関ドアの施解錠を許可するドア施解錠制御手段を備えたドア施解錠制御装置３である。前回に登録済の電子キー２の再登録が所定の暗号認証を経ずに実行可能とされ、該再登録を契機として、その他に登録済の電子キー又は新たに登録する電子キー２であって、且つ、当該再登録の実行時には再登録されなかった電子キー２については、所定の暗号認証の成立を条件に、当該電子キー２による玄関ドアの施解錠を可能としている。【選択図】図１
2009174224.tif 000002
【特許請求の範囲】
【請求項１】
ユーザに所持され、ドアの施解錠に使用される複数の電子キーの各ＩＤコードを記憶可能なＩＤコード記憶手段、及び、該ＩＤコード記憶手段に登録（記憶）されているいずれかのＩＤコードと電子キーから送信されるＩＤコードとが一致したことを条件として当該電子キーによるドアの施解錠を許可するドア施解錠制御手段を備えたドア施解錠制御装置において、
前回に登録済の電子キーの再登録又は新たに登録する電子キーの新規登録が所定の暗号認証を経ることなく実行可能に構成されており、
前記再登録又は新規登録の実行を契機として、前回に登録済又は新たに登録する電子キーであって、且つ、当該再登録又は新規登録の実行時には登録されなかった電子キーについては、前記暗号認証の成立を条件として、当該電子キーによる前記ドアの施解錠を可能としたことを特徴とするドア施解錠制御装置。
【請求項２】
請求項１に記載のドア施解錠制御装置において、
前記登録済の電子キーの再登録時には、当該電子キーについて前回に登録されていたＩＤコードと同一のＩＤコードが使用される一方、新たに登録する電子キーの新規登録時には、新たなＩＤコードの登録が行われるようにしたドア施解錠制御装置。
【請求項３】
請求項１又は請求項２に記載のドア施解錠制御装置において、
第１のスイッチの操作によって暗号認証モードに設定されるようにされ、
当該暗号認証モードに設定されると、前記所定の暗号認証が成立しない限り、前記電子キーのＩＤコードの登録を不可能に構成したドア施解錠制御装置。
【請求項４】
請求項１〜請求項３のいずれか一項に記載のドア施解錠制御装置において、
第２のスイッチの操作により、前記ＩＤコード記憶手段に登録されている全ての電子キーのＩＤコードの抹消を可能としたドア施解錠制御装置。
【請求項５】
ユーザに所持され、ドアの施解錠に使用される複数の電子キーと、該各電子キーによる前記ドアの施解錠を当該各電子キーのＩＤコードの照合を経て許可するべく、請求項１〜請求項４のいずれか一項に記載のドア施解錠制御装置とを備えたことを特徴とするドア施解錠制御システム。
【発明の詳細な説明】
【技術分野】
【０００１】
本発明は、住宅等に設けられ、ドアの施解錠を制御するドア施解錠制御装置及びドア施解錠制御システムに関する。
【背景技術】
【０００２】
従来より、住宅に居住する家族の構成員としてのユーザが所持する電子キーと、当該住宅に設けられ、ドアの施解錠を制御するドア施解錠制御装置との間で双方向の無線通信が行なわれ、該無線通信に基づいてドアの施解錠を自動的に許可するようにしたドア施解錠制御システムについて開発がなされている。
【０００３】
このようなドア施解錠制御装置には、各電子キーに固有に設定されたＩＤコードが記憶（登録）される（各電子キーが登録される）ＩＤコード記憶メモリが設けられている。
そして、前記ドア施解錠制御システムでは、住宅のドアを施解錠させる際に、前記無線通信によって当該電子キーのＩＤコードと前記ＩＤコード記憶メモリに予め登録されたＩＤコードとの照合が行なわれ、両ＩＤコードが一致したことを条件としてドアの施解錠が許可されるようになっている（例えば、特許文献１を参照）。
【特許文献１】特開平１０−１８６６０号公報
【発明の開示】
【発明が解決しようとする課題】
【０００４】
しかしながら、このドア施解錠制御装置では、例えば、ユーザが電子キーを紛失した場合に、第三者による当該電子キーの不正使用を防止し、セキュリティ性を確保するために、その電子キーの登録を抹消（電子キーのＩＤコードをアドレスから消去）する必要がある。このような場合において、ＩＤコード記憶メモリから一旦全ての電子キーの登録を抹消した後、改めて登録を行う全ての電子キーを準備した上で、再登録する必要があり、ユーザにとって非常に煩わしい操作内容となっていた。
【０００５】
これに対して、管理番号で識別された電子キーのみを当該管理番号に基づいて選択的に抹消させ、該電子キーに代わる新たな電子キーをＩＤコード記憶メモリに登録させる技術も存在する。しかし、この場合は、紛失した電子キーの管理番号を覚えておく必要があるが、ユーザは、通常、紛失した電子キーの管理番号を覚えていないので、利便性に欠ける。
【０００６】
本発明は、上記問題点を解決するためになされたものであって、その目的は、電子キーを紛失した場合に、電子キーの新たな登録がセキュリティ性を確保しつつ利便性よく行えるドア施解錠制御装置及びドア施解錠制御システムを提供することにある。
【課題を解決するための手段】
【０００７】
上記問題点を解決するために、請求項１に記載の発明は、ユーザに所持され、ドアの施解錠に使用される複数の電子キーの各ＩＤコードを記憶可能なＩＤコード記憶手段、及び、該ＩＤコード記憶手段に登録（記憶）されているいずれかのＩＤコードと電子キーから送信されるＩＤコードとが一致したことを条件として当該電子キーによるドアの施解錠を許可するドア施解錠制御手段を備えたドア施解錠制御装置において、前回に登録済の電子キーの再登録又は新たに登録する電子キーの新規登録が所定の暗号認証を経ることなく実行可能に構成されており、前記再登録又は新規登録の実行を契機として、前回に登録済又は新たに登録する電子キーであって、且つ、当該再登録又は新規登録の実行時には登録されなかった電子キーについては、前記暗号認証の成立を条件として、当該電子キーによる前記ドアの施解錠を可能としたこと、を要旨とする。
【０００８】
同構成によれば、所定の暗号認証を経ることなく、前回に登録済の電子キーの再登録（登録）又は新たに登録する電子キーの新規登録（登録）が実行されたことを契機として、登録済又は新たに登録する電子キーであって、且つ、当該再登録又は新規登録の実行時には再登録されなかった電子キーについては、所定の暗号認証が成立しない限り、当該電子キーによる前記ドアの施解錠が不可能とされるので、例えば、ＩＤコード記憶手段にＩＤコードが登録されている電子キーを紛失した際に、当該紛失した電子キーの第三者による不正使用が効果的に防止され、セキュリティ性が確保される。また、このため、例えば、紛失した電子キーと他の電子キーとを管理番号により区別することなく、所定の暗号認証が成立することで、紛失した電子キーに代わる新たな電子キーがセキュリティ性を確保しつつ簡単且つ確実に使用できるようになる。さらにこのため、セキュリティ性を確保するために、紛失した電子キーに代わる新たな電子キーの使用（登録）を行う際に、例えば、当該新たな電子キーに加え、登録済の他の電子キーも一度に全て収集しなければ、電子キーの登録ができない煩雑さが解消される。さらに、所定の暗号認証の成立を条件に登録された電子キーについては、再度暗号認証の成立を条件とせず、直ちにドアの施解錠に使用可能となるので、ユーザの利便性が損なわれることもない。
【０００９】
請求項２に記載の発明は、請求項１に記載のドア施解錠制御装置において、前記登録済の電子キーの再登録時には、当該電子キーについて前回に登録されていたＩＤコードと同一のＩＤコードが再使用される一方、新たに登録する電子キーの新規登録時には、新たなＩＤコードの登録が行われるようにしたことを要旨とする。
【００１０】
同構成によれば、登録済の電子キーの再登録時には、当該電子キーについて前回に登録されていたＩＤコードと同一のＩＤコードが再度使用される一方、新たに登録する電子キーの新規登録時には、新たなＩＤコードのみの登録が行われるので、ＩＤコード記憶手段のＩＤコードの記憶容量の節約に資することができる。
【００１１】
請求項３に記載の発明は、請求項１又は請求項２に記載のドア施解錠制御装置において、第１のスイッチの操作によって暗号認証モードに設定されるようにされ、当該暗号認証モードに設定されると、前記所定の暗号認証が成立しない限り、前記一の電子キーのＩＤコードの登録を不可能に構成したことを要旨とする。
【００１２】
同構成によれば、第１のスイッチの操作により、紛失した電子キーに代わる新たな電子キーの登録を可能とするための暗号認証モードへの設定が簡単且つ確実に行えるようになる。
【００１３】
請求項４に記載の発明は、請求項１〜請求項３の何れか一項に記載のドア施解錠制御装置において、第２のスイッチの操作により、前記ＩＤコード記憶手段に登録されている全ての電子キーのＩＤコードの抹消を可能としたこと、を要旨とする。
【００１４】
同構成によれば、第２のスイッチの操作により、紛失又は破損した電子キーの登録を簡単且つ確実に抹消することができ、これによりＩＤコード記憶手段のＩＤコードの記憶容量の節約に資するとともに、当該電子キーの誤認証による不正使用が生じる虞が効果的に解消される。
【００１５】
請求項５に記載の発明は、ユーザに所持され、ドアの施解錠に使用される複数の電子キーと、該各電子キーによる前記ドアの施解錠を当該各電子キーのＩＤコードの照合を経て許可するべく、請求項１〜請求項４の何れか一項に記載のドア施解錠制御装置とを備えたこと、を要旨とする。
【００１６】
同構成によれば、複数の電子キーのいずれかを紛失した場合に、それに代わる新たな電子キーの登録（再使用）がセキュリティ性を確保しつつ利便性よく行えるドア施解錠制御システムが得られる。
【発明の効果】
【００１７】
本発明によれば、電子キーを紛失した場合に、電子キーの新たな登録がセキュリティ性を確保しつつ利便性よく行えるドア施解錠制御装置及びドア施解錠制御システムが提供できるようになる。
【発明を実施するための最良の形態】
【００１８】
以下、本発明を具体化した実施形態について図面に従って説明する。
図１を参照して、本実施形態にかかるドア施解錠制御システム１は、住宅の玄関ドア（ドア）に設けられるものであり、該住宅に居住する複数のユーザが各々所持する電子キー２，…と、住宅側に設けられるドア施解錠制御装置３とを備えている。そして、該各電子キー２とドア施解錠制御装置３との間で双方向の無線通信がなされてＩＤの認証が行われ、該認証結果に基づいて当該玄関ドアの施解錠制御が行われる。
【００１９】
前記各電子キー２は、前記ドア施解錠制御装置３から送信される所定周波数（ここでは、ＬＦ帯）の起動用電波を介して電力を受け取るトランスポンダ２１を備えており、該受領した電力を用い、各電子キー２にそれぞれ固有に設定されたＩＤコード（認証用コード）を含むＩＤコード信号を当該ドア施解錠制御装置３に無線で送信する。
【００２０】
一方、前記ドア施解錠制御装置３には、住宅の玄関ドアの内部に収容されるコントローラ３０、並びに、該コントローラ３０に電気的に接続されるとともに、該玄関ドアの屋外側に配設され、前記各電子キー２から送信される電波を受信する屋外アンテナユニット４０、及び、該玄関ドアの近傍の屋内（室内）側壁面に配設される室内操作盤５０が設けられている。
【００２１】
詳しくは、前記コントローラ３０には、所定の制御用プログラムが格納されるメモリ３１ａを有するコントローラ用ＣＰＵ３１と、該ＣＰＵ３１に電気的に接続され、当該コントローラ３０が収容されている玄関ドアの施解錠に使用可能な正規の電子キー２，…の各ＩＤコードを記憶するＩＤコード記憶手段としてのＥＥＰＲＯＭ３２とが設けられている。尚、本実施形態では、正規の電子キー２，…として３個（複数）の電子キー２，…を使用し、このコントローラ用ＣＰＵ３１で管理させる。以下、説明の便宜上、これら３個の正規の電子キー２，…をそれぞれ電子キー２ａ〜２ｅと呼ぶとともに、該電子キー２ａ〜２ｅがそれぞれ有するＩＤコードと同一であり、前記ＥＥＰＲＯＭ３２に記憶されるＩＤコードをＩＤコードＡ〜Ｅとする。また、前記コントローラ用ＣＰＵ３１では、前記電子キー２ａ〜２ｅ（ＩＤコードＡ〜Ｅ）をそれぞれ管理番号１〜５に対応させて管理するものとする。
【００２２】
前記コントローラ３０には、前記コントローラ用ＣＰＵ３１に電気的に接続され、該ＣＰＵ３１で生成される施解錠指令信号（施錠指令信号、解錠指令信号）が入力されるモータドライバ３４がさらに設けられている。そして、前記コントローラ３０には、前記モータドライバ３４を介して、玄関ドアに設けられ、その施解錠を行う電動サムターン３５が電気的に接続されている。そして、前記施解錠指令信号がモータドライバ３４に出力されることで前記コントローラ用ＣＰＵ３１によって電動サムターン３５の動作が制御されるようになっている。
【００２３】
尚、この電動サムターン３５には、それぞれ、電動サムターン３５が解錠状態及び施錠状態である場合に各々オンとなる解錠状態検出スイッチ及び施錠状態検出スイッチ（図示せず）が内蔵されている。そして、電動サムターン３５が解錠状態又は施錠状態にある場合に、当該各スイッチから前記コントローラ用ＣＰＵ３１にその旨を示す信号（解錠状態信号、施錠状態信号）が送信されるようになっている。
【００２４】
また、図２に示すように、前記コントローラ３０は、住宅４の壁４ｗに対してドアマン４ｃを介して開閉自在とされた玄関ドア４ａ（図２では閉止状態）の内部に配設されている。そして、前記屋外アンテナユニット４０は、玄関ドア４ａの屋外側表面に配設される一方、前記電動サムターン３５は、玄関ドア４ａの屋内側表面に配設されており、それぞれ前記コントローラ３０に電気的に接続されている。また、玄関ドア４ａの内部には、玄関ドア４ａの前記ドアマン４ｃと反対側の側面に住宅４の壁４ｗに向けて前記電動サムターン３５によって出没可能に設けられ、該玄関ドア４ａの施錠を行うデッドボルト３８ａを有する錠機構３８が配設されている。さらに、該玄関ドア４ａの内部には、当該玄関ドア４ａをその閉止時に住宅の壁４ｗに保持させるためのドアラッチ３９ａを有するラッチ装置３９が配設されている。また、玄関ドア４ａの屋外側表面には、玄関ドア４ａの開閉用に上下方向に延びるバー状のドアハンドル４ｂが取り付けられている。
【００２５】
図１及び図２に示すように、前記コントローラ用ＣＰＵ３１には、前記屋外アンテナユニット４０に配設され、玄関ドア４ａが解錠状態（電動サムターン３５が解錠状態の場合）であること、及び、玄関ドア４ａが施錠状態（電動サムターン３５が施錠状態の場合）であることを表示する液晶表示部４３が電気的に接続されている。
【００２６】
また、前記コントローラ３０には、前記コントローラ用ＣＰＵ３１に電気的に接続され、長押し（例えば、２秒以上）することにより、ドア施解錠制御装置３を電子キー２の登録、即ち、各電子キー２のＩＤコードのＥＥＰＲＯＭ３２への記憶を行うための「登録モード」とする一方、短押し（例えば、１秒程度）することにより、各電子キー２の登録を確定させるための登録スイッチ（ＳＷ）［登録ボタン］３６と、前記ＥＥＰＲＯＭ３２に記憶（登録）された全ての電子キー２，…のＩＤコードを抹消するための第２のスイッチとしての登録済キー抹消スイッチ３７が設けられている。尚、図２においては、前記登録スイッチ３６及び登録済キー抹消スイッチ３７は、前記コントローラ３０の玄関ドア４ａの前記ドアマン４ｃと反対側の側面部に操作可能に配設されている。
【００２７】
前記屋外アンテナユニット４０には、前記液晶表示部４３に加えて、前記コントローラ用ＣＰＵ３１に電気的に接続され、送受信アンテナ４２を有する送受信回路４１が設けられている。そして、この送受信回路４１は、コントローラ用ＣＰＵ３１から入力されるトランスポンダ起動用信号に基づいて前記起動用電波を生成し、送受信アンテナ４２を介して各電子キー２に送信するようになっている。尚、図２に示す屋外アンテナユニット４０の屋外側表面には、前記コントローラ用ＣＰＵ３１に電気的に接続され、ドア施解錠制御システム１（ドア施解錠制御装置３）を後述する『暗号認証モード』とするための第１のスイッチとしての暗号認証モードスイッチ（暗号認証モードボタン）４４が設けられている。
【００２８】
また、前記コントローラ３０には、前記コントローラ用ＣＰＵ３１に電気的に接続されるとともに玄関ドア４ａに配設され、当該玄関ドア４ａの開閉状態を電磁的に検知するドア開閉検知センサ３３（図２では図示せず）が設けられている。該ＣＰＵ３１は、このドア開閉検知センサ３３を介して玄関ドア４ａの開閉状態（開放状態及び閉止状態）を認識可能となっている。そして、該ＣＰＵ３１は、玄関ドア４ａが開放状態である場合に、開放状態信号を生成するとともに、玄関ドア４ａが閉止状態である場合に、閉止状態信号を生成する。そして、前記トランスポンダ起動用信号は、玄関ドア４ａが閉止状態であることを条件として、コントローラ用ＣＰＵ３１から送受信回路４１に出力されるようになっている。尚、この玄関ドア４ａの閉止状態には、前記した施錠状態及び解錠状態の両方の状態が含まれる。
【００２９】
前記起動用電波は、前記送受信回路４１によって、玄関ドア４ａの屋外側において屋外アンテナユニット４０を中心とした所定の送信エリアに送信される。即ち、ユーザによって電子キー２が屋外アンテナユニット４０にかざされ、当該電子キー２が前記送信エリア内に進入すると、この電子キー２は、当該起動用電波を受信し、この起動用電波の電磁力の作用によりトランスポンダ２１内で生成した電力を用いて自己のＩＤコードを含むＩＤコード信号を所定周波数（ここでは、ＬＦ帯）の電波に変調し、当該トランスポンダ２１を介して前記屋外アンテナユニット４０の送受信回路４１に送信する。
【００３０】
そして、この送受信回路４１は、このＩＤコード信号を送受信アンテナ４２を介して受信すると、それを復調して該ＩＤコード信号に対応する受信信号を生成し、コントローラ用ＣＰＵ３１に出力する。
【００３１】
すると、前記コントローラ用ＣＰＵ３１は、前記受信信号に含まれているＩＤコードが前記ＥＥＰＲＯＭ３２に記憶されたＩＤコードＡ〜Ｃのいずれかと一致しているか否かを判断する（以下、「ＩＤ認証」という）。両ＩＤコードが一致している場合は、前記コントローラ用ＣＰＵ３１は、正規の電子キー２（電子キー２ａ〜２ｅのいずれか）が玄関ドア４ａの施解錠に使用されている旨を認識するとともに、玄関ドア４ａが施錠されている場合は当該玄関ドア４ａを解錠すべく、前記モータドライバ３４に解錠指令信号を出力する一方、玄関ドア４ａが解錠されている場合は当該玄関ドア４ａを施錠すべく、モータドライバ３４に施錠指令信号を出力する。尚、ここで、コントローラ用ＣＰＵ３１は、ＩＤ認証により両ＩＤコードが一致したとき、前記送受信回路４１から入力された受信信号に含まれているＩＤコードが、前記ＩＤコードＡ〜Ｅの内のいずれかと一致しているかを判断することで、前記した電子キー２ａ〜２ｅの内のいずれが玄関ドア４ａの施解錠に使用されたのかを特定するように構成している。このように、本実施形態では、コントローラ用ＣＰＵ３１は、屋外アンテナユニット４０にかざされた電子キー２のＩＤコードが、前記ＥＥＰＲＯＭ３２に登録されているＩＤコードＡ〜Ｅのいずれかと一致したことを条件としてドアの施解錠を許可するドア施解錠制御手段として機能する。
【００３２】
そして、前記モータドライバ３４は、解錠指令信号が入力されると、電動サムターン３５を解錠側へ駆動する一方、施錠指令信号が入力されると、電動サムターン３５を施錠側へ駆動する。
【００３３】
また、前記コントローラ用ＣＰＵ３１は、電動サムターン３５の解錠状態検出スイッチがオンの状態となった場合は、当該解錠状態検出スイッチから解錠状態信号が送信され、玄関ドア４ａが解錠されている旨を認識する。これにより、コントローラ用ＣＰＵ３１は、玄関ドア４ａの解錠が完了したことを認識し、屋外アンテナユニット４０の液晶表示部４３にその旨表示させるとともに、玄関ドア４ａが施錠状態から解錠状態へ移行した旨、及び、解錠に使用された正規の電子キー２（電子キー２ａ〜２ｅのいずれか）の管理番号（１〜５のいずれか）を室内操作盤５０に通知する。
【００３４】
一方、前記コントローラ用ＣＰＵ３１は、電動サムターン３５の施錠状態検出スイッチがオンの状態となった場合は、当該施錠状態検出スイッチから施錠状態信号が送信され、玄関ドア４ａが施錠されている旨を認識する。これにより、コントローラ用ＣＰＵ３１は、玄関ドア４ａの施錠が完了したことを認識し、屋外アンテナユニット４０の液晶表示部４３にその旨表示させるとともに、玄関ドア４ａが解錠状態から施錠状態へ移行した旨、及び、施錠に使用された正規の電子キー２（電子キー２ａ〜２ｅのいずれか）の管理番号（１〜５のいずれか）を室内操作盤５０に通知する。
【００３５】
図１に戻り、本実施形態においては、前記室内操作盤５０には、前記コントローラ用ＣＰＵ３１にシリアル通信により相互に通信可能に接続された室内操作盤用ＣＰＵ５１が設けられている。そして、コントローラ用ＣＰＵ３１から室内操作盤用ＣＰＵ５１には、玄関ドア４ａの施解錠状態に応じて、施解錠状態信号（施錠状態信号、解錠状態信号）が送信されるとともに、玄関ドア４ａの開閉状態に応じて、玄関ドア４ａの開閉状態信号（開放状態信号、閉止状態信号）が送信される。
【００３６】
前記室内操作盤５０には、前記室内操作盤用ＣＰＵ５１に電気的に接続され、該ＣＰＵ３１から送信される玄関ドア４ａの施解錠状態信号に基づき、玄関ドア４ａの施解錠状態を表示する施解錠状態報知用ＬＥＤ５２と、同ＣＰＵ３１から送信される玄関ドア４ａの開閉状態信号に基づき、玄関ドア４ａの開閉状態を表示する開閉状態報知用ＬＥＤ５３とが設けられている。尚、施解錠状態報知用ＬＥＤ５２は、玄関ドア４ａが解錠されていると点灯する一方、施錠されていると消灯するようになっており、また、開閉状態報知用ＬＥＤ５３は、玄関ドア４ａが開放されていると点灯する一方、閉止されていると消灯するようになっている。
【００３７】
前記室内操作盤５０には、前記室内操作盤用ＣＰＵ５１に電気的に接続され、前記施解錠操作に使用された電子キー２の管理番号（１〜５のいずれか）を表示（報知）する７セグメントＬＥＤ５５が設けられている。例えば、解錠に電子キー２ａが使用された場合は、当該室内操作盤用ＣＰＵ５１は、前記コントローラ用ＣＰＵ３１との通信に基づき、電子キー２ａの管理番号１を７セグメントＬＥＤ５５に表示させる。以下同様に、電子キー２ｂ，２ｃが使用された場合は、それぞれ、電子キー２ｂ，２ｃの管理番号２，３を７セグメントＬＥＤ５５に表示させる。これにより、ユーザは、解錠に使用された電子キー２（２ａ〜２ｅのいずれか）を認識できるようになっている。
【００３８】
尚、図１に示す前記室内操作盤５０では、玄関ドア４ａを手動で施錠するための押しスイッチ（押しボタン）５４が室内操作盤用ＣＰＵ５１に電気的に接続されている。例えば、住宅４の居住者であるユーザは、正規の電子キー２（２ａ〜２ｅのいずれか）を使用して玄関ドア４ａの解錠を完了させ、該玄関ドア４ａを通って屋内に進入した後、さらに、玄関ドア４ａが閉止状態であることを前記室内操作盤５０の開閉状態報知用ＬＥＤ５３によって確認した上で、押しスイッチ５４を操作することで玄関ドア４ａを手動で施錠することができる。ここでは、玄関ドア４ａの解錠が完了した時点で、解錠に使用された正規の電子キー２（２ａ〜２ｅのいずれか）の管理番号が７セグメントＬＥＤ５５に表示される。
【００３９】
このように押しスイッチ５４が操作されると、その旨が室内操作盤用ＣＰＵ５１からコントローラ用ＣＰＵ３１に通知され、該ＣＰＵ３１は、玄関ドア４ａが施錠されている場合は当該玄関ドア４ａを解錠すべく、前記モータドライバ３４に解錠指令信号を出力する一方、このように、玄関ドア４ａが解錠されている場合は当該玄関ドア４ａを施錠すべく、モータドライバ３４に施錠指令信号を出力する。ここで、玄関ドア４ａが施錠されている場合は、モータドライバ３４により電動サムターン３５が解錠側へ駆動される。一方、このように、玄関ドア４ａが解錠されている場合は、モータドライバ３４により電動サムターン３５が施錠側へ駆動される。
【００４０】
そして、玄関ドア４ａの施錠が完了すると、前記電動サムターン３５の施錠状態検出スイッチがオンの状態となり、前記コントローラ用ＣＰＵ３１は、玄関ドア４ａが施錠されている旨と、その施錠が完了したことを認識し、屋外アンテナユニット４０の液晶表示部４３にその旨表示させるとともに、解錠状態から施錠状態へ移行した旨を室内操作盤用ＣＰＵ５１に通知する。
【００４１】
すると、前記室内操作盤用ＣＰＵ５１は、前記コントローラ用ＣＰＵ３１を介して玄関ドア４ａの施錠が完了したことを認識し、前記施解錠状態報知用ＬＥＤ５２を消灯することで玄関ドア４ａが施錠状態であることをユーザに報知するとともに、所定時間後に７セグメントＬＥＤ５５による電子キー２の管理番号の表示を終える。
【００４２】
本実施形態にかかるドア施解錠制御システム１及びドア施解錠制御装置３は以上のように構成され、該ドア施解錠制御装置３は、前回に登録済の電子キー２の（ＩＤコードの）再登録又は新たに登録する電子キー２の新規登録が所定の暗号認証を経ることなく実行可能とされている。そして、前記再登録又は新規登録の実行を契機として、登録済又は新たに登録する電子キー２であって、且つ、当該再登録又は新規登録の実行時には再登録されなかった電子キー２については、前記暗号認証の成立を条件として、当該電子キー２による前記玄関ドア４ａの施解錠を可能としたことを特徴としている。
【００４３】
以下、図１〜図３を参照しながら、本実施形態にかかるドア施解錠制御装置３に対して電子キー２のＩＤコードを登録する方法（登録処理）の一例と、それに関連する操作について説明する。以下の登録処理では、住宅４に居住する一のユーザが電子キー２ａを紛失した場合において、前回に登録済であって、再登録時に収集できた電子キー２ｂ，２ｃの（ＩＤコードの）再登録、及び、当該電子キー２ａに代わる新たな電子キー２ｆ（そのＩＤコードをＩＤコードＦとする。）の新規登録、並びに、前記再登録の実行時には収集できなかった電子キー２ｄ，２ｅの再登録を実行する処理を説明する。尚、本登録処理、及び、該登録処理に関係したその他の処理（一時的記憶、暗号認証用操作の設定）は、前記コントローラ３０のコントローラ用ＣＰＵ３１のメモリ３１ａに格納された所定の制御用プログラムによって実行される。ここで、電子キー２ｂ，２ｃは、住宅４に居住する一のユーザが電子キー２ａが紛失したことに気が付いた後、当該一のユーザ又は住宅４に居住する別のユーザが再登録のために収集できた電子キー２に相当する。また、電子キー２ｄ，２ｅは、当該再登録のために収集できなかった電子キー２であって、例えば、住宅４に居住する更に別のユーザがそれぞれ所持している電子キー２に相当する。
【００４４】
まず、図３のステップＳ１において、例えば、電子キー２ａを紛失した一のユーザからの携帯電話等の通信機器を用いた連絡を受け、別のユーザが、ＩＤコードＢ，Ｃを再登録するべく、電子キー２ｂ，２ｃを収集（準備）する（尚、このとき、新たに追加する電子キー２ｆが準備できている場合には、当該電子キー２ｆも収集することで、登録が可能である）。
【００４５】
次に、ステップＳ２において、電動サムターン３５（図１参照）の解錠状態検出スイッチがオンの状態であり、玄関ドア４ａが解錠状態且つ開放状態において、前記コントローラ３０に設けられた登録スイッチ３６を長押し（例えば、２秒以上）する。すると、コントローラ用ＣＰＵ３１により、ドア施解錠制御装置３が、ＥＥＰＲＯＭ３２への電子キー２ｂ，２ｃのＩＤコードＢ，Ｃの再登録を行うための「登録モード」に設定されるともに、ステップＳ３に移行する。この「登録モード」には、玄関ドア４ａの側面に設けられた登録スイッチ３６を操作しないと設定されない。つまり、玄関ドア４ａが解錠状態且つ開放状態でない限り、電子キー２ｂ，２ｃの再登録が行えないことになるので、本実施形態では、この意味でもセキュリティ性が確保されているといえる。
【００４６】
続くステップＳ３（「登録モード」）において、再登録する電子キー２ｂ，２ｃを屋外アンテナユニット４０の送信エリアに順次かざす。これにより、電子キー２ｂ，２ｃにおいてそのＩＤコードＢ，ＣがＬＦ帯の電波によりＩＤコード信号として発信され、屋外アンテナユニット４０の送受信回路４１に無線送信され、コントローラ用ＣＰＵ３１に伝送される。尚、この段階では、当該ＣＰＵ３１に伝送されたＩＤコードＢ，Ｃは、コントローラ用ＣＰＵ３１に一時的に保持されており、前記ＥＥＰＲＯＭ３２への記憶（登録）は確定されていない状態になっている。
【００４７】
さらにステップＳ４（「登録モード」）において、前記登録スイッチ３６を短押し（例えば、１秒程度）すると、後述する『暗号認証モード』に設定されることなく、コントローラ用ＣＰＵ３１において一時的に保持されていた電子キー２ｂ，２ｃのＩＤコードＢ，ＣのＥＥＰＲＯＭ３２への再登録が確定される。即ち、ステップＳ４において前記登録スイッチ３６の操作がされない限り、電子キー２ｂ，２ｃのＥＥＰＲＯＭ３２への登録は確定されないことになる。
【００４８】
本実施形態では、このように電子キー２ｂ，２ｃが『暗号認証モード』に設定されないままに一旦「登録モード」で再登録されると、それ以降、再登録された電子キー２ｂ，２ｃについては、継続して玄関ドア４ａの施解錠操作に使用可能となる一方、紛失した電子キー２ａ、前記再登録の実行時に収集されなかった電子キー２ｄ，２ｅについては、喩えそれらのＩＤコードＡ，Ｄ，ＥがＥＥＰＲＯＭ３２に登録済のままであっても、使用が禁止されるようになっている。尚、この『暗号認証モード』に設定されない状態での電子キー２ｂ，２ｃの登録処理は、従来技術と同様に実行されるものであり、後述するように電子キー２ａが破損された場合に有効となる。
【００４９】
次にステップＳ５（「登録モード」）において、後述する『暗号認証モード』に設定されているか否かが判断される。この場合は『暗号認証モード』に設定されていないので、ステップＳ６に進む。尚、『暗号認証モード』に設定されている場合には、ステップＳ１０に進む。
【００５０】
続くステップＳ６において、紛失した電子キー２ａに代わる新たな電子キー２ｆ（前記登録時において未収集の電子キー２）を準備するか、又は、前記電子キー２ｄ,２ｅ（前記登録時において未収集の電子キー２）を準備する。この場合、想定される状況としては、前者については、例えば、紛失した電子キー２ａを所持していたユーザ（父親等）が、それに代わる新しい電子キー２ｆを準備した上で帰宅し、玄関ドア４ａの前に立っていることが考えられる。後者については、例えば、電子キー２ｄ，２ｅを所持するユーザ（子供達等）が、当該電子キー２ｄ，２ｅを所持したまま帰宅し、玄関ドア４ａの前に立っていることが考えられる。尚、この場合、仮に紛失した電子キー２ａが発見され、当該電子キー２ａを屋外アンテナユニット４０の送信エリアにかざしても、そのままでは玄関ドア４ａの解錠はできない（前記電子キー２ｄ，２ｅについても、そのままでは玄関ドア４ａの解錠はできない）。これにより、紛失した電子キー２ａが住宅４に居住するユーザ以外の第三者に発見され、不正使用されることが効果的に防止される。また、このとき電子キー２ａ、電子キー２ｄ，２ｅを前記送信エリアにかざすと同時に、屋外アンテナユニット４０の液晶表示部４３に「？」等のシグナルが表示され、電子キー２ａ、電子キー２ｄ，２ｅの使用が禁止されていることが通知されるようになっている。
【００５１】
次に、ステップＳ７において、屋外アンテナユニット４０に設けられた暗号認証モードスイッチ４４の操作の有無が判断される。即ち、前記液晶表示部４３に「？」等のシグナルが表示されている間に、当該スイッチ４４について、例えば、１秒程度の短押しを１回行うと、コントローラ用ＣＰＵ３１によって、暗号認証モードスイッチ４４が操作されたと判断される。そして、当該コントローラ用ＣＰＵ３１により、ドア施解錠制御装置３が、新たな電子キー２ｆのＩＤコードＦの新規登録、及び、前記再登録時に収集されなかった電子キー２ｄ，２ｅの再使用（再登録）を可能とするための『暗号認証モード』に設定されるとともに、ステップＳ８に移行する。一方、前記暗号認証モードスイッチ４４の短押し（操作）が実行されない場合には、ここでの処理を一旦終了する（「登録モード」又は『暗号認証モード』の設定が解除される）。
【００５２】
このステップＳ８（『暗号認証モード』）においては、所定の暗号認証が実行される。即ち、該暗号認証のための操作、本実施形態では、例えば、‘暗号認証モードスイッチ４４について、各１秒程度の短押しを２回連続して行った後、１秒以上間を置いて、２秒以上の長押しをさらに１回行うこと’なる操作により、コントローラ用ＣＰＵ３１によって暗号認証が成立したと判断され、ステップＳ９に移行する。一方、暗号認証が成立しなかった場合には、ここでの処理を一旦終了する（「登録モード」又は『暗号認証モード』の設定が解除される）。尚、この暗号認証のための操作の設定、即ち、上述した暗号認証モードスイッチ４４を用いた一連の操作を前記コントローラ用ＣＰＵ３１へ記憶（設定）させるには、本実施形態では、例えば、前記登録スイッチ３６を短押し（１秒程度）し、屋外アンテナユニット４０において上述したとおりの一連の操作を行った後、登録スイッチ３６を再度短押しすることにより行うことができる。これにより、コントローラ用ＣＰＵ３１のメモリ３１ａに格納された制御プログラムが実行され、当該メモリ３１ａに暗号認証のための操作が記憶される。また、この暗号認証のための操作は、複数のユーザ間で予め決定し、共通の知識としておいてもよいし、その都度変更等した上で、各ユーザに携帯電話等の通信機器を用いて連絡してもよい。
【００５３】
そして、ステップＳ９（『暗号認証モード』）においては、電子キー２ｆ、又は、電子キー２ｄ，２ｅのＩＤコードと登録済の電子キー２ａ〜２ｅのＩＤコードとの一致・不一致が判断される。即ち、新たな電子キー２ｆを新規登録する場合は、同ステップＳ９において、ＩＤコードが不一致と判断され、図３のフローの（１）に戻り、該電子キー２ｆについて、ステップＳ２〜Ｓ４の処理を実行することで、ＩＤコードＦを新規登録することができる（このとき、電子キー２ｆには管理番号「６」が付与される）。尚、このステップＳ２〜Ｓ４の処理に先立って、前記液晶表示部４３に、例えば、「登録モードに設定して下さい。」等のメッセージが表示され、当該ステップＳ２〜Ｓ４における登録スイッチ３６の操作が促される。このように『暗号認証モード』においてステップＳ２〜Ｓ４の処理が行われた場合には、その後、前記ステップＳ５（「登録モード」）において、『暗号認証モード』に設定されていると判断され、ステップＳ１０に進む。一方、電子キー２ｄ，２ｅを再登録する場合は、前記ステップＳ９において、ＩＤコードが一致と判断され、同じくステップＳ１０に進む。
【００５４】
そして、このステップＳ１０では、前記電子キー２ｄ，２ｅについて、登録済のＩＤコードＤ，Ｅと同一のＩＤコードＤ，Ｅがそのまま再使用（再登録）され、また、前記電子キー２ｆについては、新規登録のＩＤコードＦが新たに登録される。そしてその後、電子キー２ｄ，２ｅ、電子キー２ｆについて、ドア施解錠制御装置３による玄関ドア４ａの施解錠操作が可能となる。また、このステップＳ１０の後、ここでの処理を一旦終了する（「登録モード」又は『暗号認証モード』の設定が解除される）。
【００５５】
このように、本実施形態では、収集できた電子キー２ｂ，２ｃが『暗号認証モード』に設定されないままに一旦「登録モード」で再登録されると、所定の暗号認証が実行され、同暗号認証が成立しない限り、紛失した電子キー２ａに代わる新たな電子キー２ｆの新規登録が行えないようになっている上に、前記再登録時に収集されなかった電子キー２ｄ，２ｅについても、前記所定の暗号認証を実行し、該暗号認証が成立しない限り、再登録が行えないようになっている。
【００５６】
また、一度、同暗号認証の成立を条件に電子キー２ｄ〜２ｆが登録されると、各々の電子キー２ｄ〜２ｆを再使用する場合には、当該暗号認証の成立は必要とされないので、ユーザの利便性が損なわれることがない。
【００５７】
尚、上記『暗証認証モード』に設定された状態での新たな電子キー２ｆの登録処理は、元の電子キー２ａを紛失した場合において、当該電子キー２ａの第三者による不正使用を防止し、セキュリティ性を確保するためのものである。したがって、元の電子キー２ａを破損した場合や外国で紛失した場合において、当該電子キー２ａが第三者に不正使用される虞が一切ないときには、上記『暗号認証モード』を経ることのない従来技術と同様の登録処理（ステップＳ２〜ステップＳ４）を行うことによって、当該新たな電子キー２ｆの新規登録を簡便化することができる。
【００５８】
尚、本実施形態では、玄関ドア４ａの側面部に配設された前記登録済キー抹消スイッチ３７を操作することで、登録済の電子キー２ａ〜２ｅの各ＩＤコードＡ〜Ｅを全て抹消することができる。この抹消処理は、登録済の電子キー２ｂ，２ｃを再登録、及び、新たな電子キー２ｆを新規登録する場合に先立って、紛失した電子キー２ａのＩＤコードＡを抹消し、ＥＥＰＲＯＭ３２のＩＤコードの記憶容量を節約（リフレッシュ）する場合に有効となる。したがって、この操作は、図３のフローにおいて、最初に「登録モード」に設定される前に実行することが好ましい。
【００５９】
本実施形態のドア施解錠制御装置３及びドア施解錠制御システム１によれば、以下のような作用・効果を得ることができる。
（１）所定の暗号認証を経ることなく、前回に登録済の電子キー２ｂ，２ｃの再登録又は新たに登録する電子キー２ｆの新規登録が実行されたことを契機として、登録済又は新たに登録する電子キー２であって、且つ、当該再登録又は新規登録の実行時には登録されなかった電子キー２ｄ，２ｅ、又は電子キー２ｆについては、所定の暗号認証が成立しない限り、当該電子キー２ｄ，２ｅ，又は電子キー２ｆによる玄関ドア４ａの施解錠が不可能とされるので、例えば、ＥＥＰＲＯＭ３２にＩＤコードＡが登録されている電子キー２ａを紛失した場合に、当該紛失した電子キー２ａの第三者による不正使用が効果的に防止され、セキュリティ性が確保される。
【００６０】
（２）また、このため、例えば、紛失した電子キー２ａと他の電子キー２ｂ〜２ｅとをそれぞれの管理番号１，管理番号２〜５により区別し、当該紛失した電子キー２ａのＩＤコードＡをその管理番号１に基づいて選択的に抹消させることなく、所定の暗号認証が成立することで、紛失した電子キー２ａに代わる新たな電子キー２ｆがセキュリティ性を確保しつつ簡単且つ確実に使用できるようになる。さらにこのため、セキュリティ性を確保するために、紛失した電子キー２ａに代わる新たな電子キー２ｆの使用（登録）を行う際に、例えば、当該新たな電子キー２ｆに加え、登録済の他の電子キー２ｂ〜２ｅも一度に全て収集しなければ、電子キー２，…の登録ができない煩雑さが解消される。
【００６１】
（３）さらに、所定の暗号認証の成立を条件に新規登録された電子キー２ｆ、又は再登録された電子キー２ｄ，２ｅについては、再度暗号認証の成立を条件とせず、直ちに玄関ドア４ａの施解錠に使用可能となるので、ユーザの利便性が損なわれることもない。
【００６２】
（４）屋外アンテナユニット４０に設けた暗号認証モードスイッチ４４の操作により、紛失した電子キー２ａに代わる新たな電子キー２ｆの新規登録、又は、収集されなかった電子キー２ｄ，２ｅの再登録を可能とするための『暗号認証モード』への設定が、簡単且つ且つ確実に行えるようになる。
【００６３】
（５）登録済の電子キー２ｂ〜２ｅの再登録時には、当該電子キー２ｂ〜２ｅについて前回に登録されていたＩＤコードＢ〜Ｅと同一のＩＤコードＢ〜Ｅが再使用される一方、新たに登録する電子キー２ｆの新規登録時には、新たなＩＤコードＦのみの登録が行われるので、ＥＥＰＲＯＭ３２のＩＤコードの記憶容量の節約に資することができる。
【００６４】
（６）登録済キー抹消スイッチ３７の操作により、紛失又は破損した電子キー２ａの登録を簡単且つ確実に抹消することができ、これによりＥＥＰＲＯＭ３２のＩＤコードの記憶容量の節約に資するとともに、当該電子キー２ａの誤認証による不正使用が生じる虞が効果的に解消される。
【００６５】
（７）複数の電子キー２，…及びドア施解錠制御装置３によって、当該電子キー２，…のいずれか（例えば、電子キー２ａ）を紛失した場合に、それに代わる新たな電子キー２ｆの登録（再使用）がセキュリティ性を確保しつつ利便性よく行えるドア施解錠制御システム１が得られる。
【００６６】
尚、上記実施形態は以下のように変形してもよい。
・上記実施形態では、ドア施解錠制御装置３は、所定の暗号認証の実行及び成立を条件として、コントローラ用ＣＰＵ３１によるＥＥＰＲＯＭ３２への電子キー２ｄ，２ｅ、電子キー２ｆの登録を可能とするとともに、同暗号認証が成立したことを条件として、当該電子キー２ｄ〜２ｆによる玄関ドア４ａの「解錠」を可能とした。しかしこれに限られず、同暗号認証が成立したことを条件として、電子キー２ｄ〜２ｆによる玄関ドア４ａの「施錠」を可能とすることも勿論可能である。
【００６７】
・上記実施形態では、暗号認証のための操作について、‘暗号認証モードスイッチ４４において、各１秒程度の短押しを２回連続して行った後、１秒以上間を置いて、２秒以上の長押しをさらに１回行うこと’なる暗号認証モードスイッチ４４を用いる一連の操作とした。しかしこれに限られず、該暗号認証のための操作は、例えば、‘暗号認証モードスイッチ４４において、２秒程度の長押しを行った後、直ちに、１秒程度の短押しをさらに１回行うこと’でもよいし、この暗号認証モードスイッチ４４以外に、屋外アンテナユニット４０に設けた別のスイッチやセンサを用いるようにしてもよい。
【００６８】
・上記実施形態では、各電子キー２ａ〜２ｅをそれぞれ管理番号１〜５で区別（識別）するようにしたが、本発明の技術的思想においては、このような管理番号１〜５を用いた複数の電子キー２，…の区別は必ずしも必要ではない。当該実施形態によれば、所定の暗号認証が実行され、該暗号認証が成立すれば、電子キー２ｄ，２ｅのＩＤコードＤ，Ｅの登録を抹消することなく、当該紛失した電子キー２ａに代わる新たな電子キー２ｆのＩＤコードの登録が可能となる。これにより、各電子キー２ａ〜２ｅをそれぞれ管理番号１〜５で区別しないでも、簡単且つ確実に当該紛失した電子キー２ａの第三者による不正使用が防止され、セキュリティ性が確保される。
【００６９】
・上記実施形態では、登録済キー抹消スイッチ３７の操作により、紛失又は破損した電子キー２ａの登録を抹消可能としたが、このようなスイッチ３７を設けることは必須ではなく、電子キー２の誤認証による不正使用が生じる虞がない場合等には、過去の電子キー２のＩＤコードはＩＤコード記憶手段としてのＥＥＰＲＯＭ３２に全て残存するようにしてもよい。
【図面の簡単な説明】
【００７０】
【図１】本発明の実施形態にかかるドア施解錠制御システムの構成を示すブロック図。
【図２】本発明の実施形態にかかるドア施解錠制御装置（室内操作盤を除く）が、住宅の玄関ドアに配設されている状態を示す斜視図。
【図３】本発明の実施形態にかかるドア施解錠制御装置に対して電子キーのＩＤコードを登録する方法の処理フローを示すフローチャート図。
【符号の説明】
【００７１】
１…ドア施解錠制御システム、２（２ａ〜２ｆ）…電子キー、３…ドア施解錠制御装置、４…住宅、４ａ…玄関ドア、３０…コントローラ、３１…コントローラ用ＣＰＵ、３１ａ…メモリ、３２…ＥＥＰＲＯＭ、４０…屋外アンテナユニット、５０…室内操作盤、５１…室内操作盤用ＣＰＵ、５５…７セグメントＬＥＤ。
【図１】
2009174224.tif 000003
【図２】
2009174224.tif 000004
【図３】
2009174224.tif 000005